(57)【要約】    【課題】  本発明は、簡単な構造であって、かつ、着脱が容易であり、しかも、コストが低減できる椅子用パネルを提供することを目的とする。    【解決手段】本発明に係る椅子用パネルＡは、伸縮性シート１０と該伸縮性シートの周囲に挿入されるフレーム２０とからなる椅子用パネルであって、前記伸縮性シート１０は、その周縁を周回する連続した中空部１１が設けられ、該中空部にはフレームを挿入及び引き抜くための出入孔１４、１５が左右に１個所ずつ設けられていて各出入孔により中空部が第１中空部１１ａと第２中空部１１ｂとに区画されており、前記フレーム２０は、前記第１中空部に挿入する第１フレーム２０ａと前記第２中空部に挿入する第２フレーム２０ｂとからなり、前記第１フレーム及び前記第２フレームには、両フレームの端部同士を連結することが可能な結合手段が設けられてなることを特徴とするものである。    【選択図】        図５
2006136562.tif 000002
【特許請求の範囲】
【請求項１】
伸縮性シートと該伸縮性シートの周囲に挿入されるフレームとからなる椅子用パネルであって、
前記伸縮性シートは、その周縁を周回する連続した中空部が設けられ、該中空部にはフレームを挿入及び引き抜くための出入孔が左右に１個所ずつ設けられていて各出入孔により中空部が第１中空部と第２中空部とに区画されており、
前記フレームは、前記第１中空部に挿入する第１フレームと前記第２中空部に挿入する第２フレームとからなり、
前記第１フレーム及び前記第２フレームには、両フレームの端部同士を連結することが可能な結合手段が設けられてなる、
ことを特徴とする椅子用パネル。
【発明の詳細な説明】
【技術分野】
【０００１】
本発明は、事務用椅子やソファー等の椅子又は車両、航空機又は船舶などの乗物の座席の背もたれ部や座部に取り付けられる椅子用パネルに関する。
【背景技術】
【０００２】
従来の椅子の背もたれ部や座部に取り付けられる椅子用パネルとしては、図８に示されるように、弾性布帛１００の両側部に中空部１０１、１０２を設け、その中空部１０１、１０２にコの字型の支桿１１０を挿入し、該支桿１１０の端部に連結材１１１を嵌め込むことにより構成されたものが知られている（特許文献１参照）。
【特許文献１】特開２００３−１５９１４１
【発明の開示】
【発明が解決しようとする課題】
【０００３】
しかしながら、上記従来の椅子用パネルは、組立は極めて容易であるが、連結材などが布帛からはみ出ていて体裁が悪く、体裁を良くするためには、そのはみ出ている連結材等をカバーする被覆材を別途必要とするので、コストが高くなる欠点がある。
【０００４】
そこで本発明者は、簡単な構造であって、かつ、着脱が容易であり、しかも、コストが低減できる椅子用パネルを開発した。
【課題を解決するための手段】
【０００５】
本発明に係る椅子用パネルは、伸縮性シートと該伸縮性シートの周囲に挿入されるフレームとからなる椅子用パネルであって、前記伸縮性シートは、その周縁を周回する連続した中空部が設けられ、該中空部にはフレームを挿入及び引き抜くための出入孔が左右に１個所ずつ設けられていて各出入孔により中空部が第１中空部と第２中空部とに区画されており、前記フレームは、前記第１中空部に挿入する第１フレームと前記第２中空部に挿入する第２フレームとからなり、前記第１フレーム及び前記第２フレームには、両フレームの端部同士を連結することが可能な結合手段が設けられてなることを特徴とするものである。
【０００６】
このように本発明に係る椅子用パネルを構成すれば、第１フレームを伸縮性シートの第１中空部に対して中空部に設けた一の出入孔から他の出入孔まで挿入し、第２フレームを伸縮性シートの第２中空部に対して中空部に設けた一の出入孔から他の出入孔まで挿入し、第１フレームと第２フレームの各端部を結合手段により連結すれば、椅子用パネルが形成できる。また、シートが伸縮性を有するので、フレームの出入が容易であり、また、完成した椅子用パネルには、適度な緊張性と弾力性が備わっていて、椅子用パネルとして最適である。
【発明の効果】
【０００７】
上記した本発明に係る椅子用パネルによれば、従来の椅子用パネルにおける欠点が解消でき、作業性がよく、コストも軽減でき、廃棄の際の分別が容易な椅子用パネルを提供することができる。
【発明を実施するための最良の形態】
【０００８】
以下に、添付の図面に基づき、本発明に係る椅子用パネルの好適な実施例１及び２について詳述する。
【実施例１】
【０００９】
実施例１における椅子用パネルは椅子の背当て部に装着するパネルであるが、当該椅子用パネルを椅子の座部にも応用することが可能である。
【００１０】
図１は実施例１に係る椅子用パネルに使用する伸縮性シートの斜視図であり、図２は実施例１に係る椅子用パネルに使用するフレームの斜視図であり、図３は伸縮性シートに第１フレームを挿入する状態を示す斜視図であり、図４は伸縮性シートに第１フレームを挿入した後、第２のフレームを挿入する状態を示す斜視図であり、図５は実施例１に係る椅子用パネルの完成状態を示す斜視図である。
【００１１】
実施例１に係る椅子用パネルＡは、伸縮性シート１０と該伸縮性シート１０の周囲に挿入されるフレーム２０とからなるものであって、図１に示す伸縮性シート１０は、その周縁を周回する連続した中空部１１が設けられ、該中空部１１により囲まれる伸縮性シート１０の中央部１２は伸縮性のある生地により構成されるものであって、背当て部としての使用時に重量の掛かる中央よりやや上方の部分に伸縮性の小さい補強帯１３が配されている。そして、該中空部１１にはフレーム２０を挿入及び引き抜くための出入孔１４、１５が左右に１個所ずつ設けられていて各出入孔１４、１５により中空部１１が第１中空部１１ａと第２中空部１１ｂとに区画されている。
【００１２】
前記フレーム２０は、図２に示すように、椅子の背当て部に相応しい形状をなしており、前記第１中空部１１ａに挿入する長い方の第１フレーム２０ａと前記第２中空部１１ｂに挿入する短い方の第２フレーム２０ｂとからなる。そして、第１フレーム２０ａの両端部２１、２２に刺し込み孔２３が形成されており、第２フレーム２０ｂの両端部２４、２５には突起２６が設けられていて互いに嵌め込み可能となっており、この刺し込み孔２３と突起２６とにより、第１フレーム２０ａの端部２１と第２フレーム２０ｂの端部２４、第１フレーム２０ａの端部２２と第２フレームの端部２５とをそれぞれ連結することが可能な結合手段を構成している。
【００１３】
図３〜図５は、伸縮性シート１０にフレーム２０を挿入する手順を示す図であり、図３に示すように、例えば、先ず、長い方の第１フレーム２０ａの一方の端部２１を、伸縮性シート１０の中空部１１に設けた出入孔１４から第１中空部１１ａの方へ、図４に示すように、第１フレーム２０ａの他方の端部２２全体が出入孔１４に入り込んで第１フレーム２０ａの一方の端部２１の先端が出入孔１５から見えるまで挿入する。そして、第１フレーム２０ａの挿入後、図４に示すように、例えば、短い方の第２フレーム２０ｂの一方の端部２５を、伸縮性シート１０の中空部１１に設けた出入孔１５から第２中空部１１ｂの方へ、図５に示すように、第２フレーム２０ｂの他方の端部２４全体が出入孔１５に入り込んで第２フレーム２０ｂの一方の端部２５の先端が出入孔１４から見えるまで挿入する。そして、図５に示すように、第１フレーム２０ａの端部２１と第２フレーム２０ｂの端部２４、第１フレーム２０ａの端部２２と第２フレームの端部２５とをそれぞれ連結することにより、椅子用パネルＡが完成する。
【００１４】
このように本実施例に係る椅子用パネルＡを構成すれば、第１フレーム２０ａを伸縮性シート１０の第１中空部１１ａに対して中空部１１に設けた一の出入孔１４から他の出入孔１５まで挿入し、第２フレーム２０ｂを伸縮性シート１０の第２中空部１１ｂに対して中空部１１に設けた一の出入孔１４から他の出入孔１５まで挿入し、第１フレーム２０ａと第２フレーム２０ｂの各端部を結合手段により連結すれば、椅子用パネルＡが形成できる。また、伸縮性シート１０が伸縮性を有するので、伸縮性シート１０の中空部１１からフレーム２０を出入することが容易であり、また、完成した椅子用パネルＡには、適度な緊張性と弾力性が備わっていて、椅子用のパネルとして最適である。
【実施例２】
【００１５】
実施例２は、フレームの構造の変更例であり、図６はフレームの部分分解斜視図であり、図７はフレームの接合状態を示す部分斜視図部である。図６及び図７に示すように、実施例２におけるフレーム５０は、第１フレーム５０ａ及び第２フレーム５０ｂのいずれも断面が扁平な楕円状をなす角丸の棒状をなすものである。そして、前記第１フレーム５０ａの端部５１は、所定の長さ分だけ半円分を削り取って、螺刻されたボルト孔を有するナット材５１ａ、５１ｂを取り付け、第２フレーム５０ｂの端部５２も第１フレーム５０ａの端部５１と対抗して重ね合わせることができるように、所定の長さ分だけ半円部を削り取ると共に、前記ナット材５１ａ、５１ｂに対応してこれらナット材５１ａ、５１ｂを嵌め込むことができる抜き孔５２ａ、５２ｂが形成されている。また、各フレーム５０ａ、５０ｂの端部５１、５２を接合できるように当て板５３と２本のボルト５４ａ、５４ｂが用意されており、当て板５３は、２本のボルト５４ａ、５４ｂの軸部が貫通し、各ボルト５４ａ、５４ｂの頭部が貫通しないボルト貫通孔５３ａ、５３ｂが形成されている。
【００１６】
このような構成よりなる各フレーム５０ａ、５０ｂの端部５１、５２を、ナット材５１ａ、５１ｂが抜き孔５２ａ、５２ｂにそれぞれ嵌まり込むように重ね合わせ、当て板５３をそのボルト貫通孔５３ａ、５３ｂがナット材５１ａ、５１ｂの各ボルト孔に合致するようにあてがい、ボルト５４ａ、５４ｂをそれぞれボルト貫通孔５３ａ、５３ｂに挿入し、ボルト５４ａ、５４ｂの先端をそれぞれナット材のボルト孔にねじ込んでいくことによって、第１フレーム５０ａの端部５１と第２フレーム５０ｂの端部５２とを接合する。
【００１７】
このように実施例２におけるフレーム５０は、前述したように、ボルトとナットによる結合手段を採用しているため、その接合が強固である。また、第１フレーム５０ａの端部５１と第２フレーム５０ｂの端部５２とをそれぞれ対抗する側を半円分ずつ削り取って重ね合わせているので、図７に示すように連結形状がスマートであり、体裁がよい。
【図面の簡単な説明】
【００１８】
【図１】本発明に係る実施例１の椅子用パネルに使用する伸縮性シートの斜視図である。
【図２】本発明に係る実施例１の椅子用パネルに使用するフレームの斜視図である。
【図３】伸縮性シートに第１フレームを挿入する状態を示す斜視図である。
【図４】伸縮性シートに第１フレームを挿入した後、第２のフレームを挿入する状態を示す斜視図である。
【図５】本発明に係る実施例１の椅子用パネルの完成状態を示す斜視図である。
【図６】本発明に係る実施例２の椅子用パネルにおけるフレームの部分分解斜視図である。
【図７】本発明に係る実施例２の椅子用パネルにおけるフレームの接合状態を示す部分斜視図部である。
【図８】従来の椅子用パネルの分解図である。
【符号の説明】
【００１９】
Ａ・・・椅子用パネル
１０・・伸縮性シート
１１・・中空部
１１ａ・第１中空部
１１ｂ・第２中空部
１２・・中央部
１３・・補強帯
１４・・出入孔
１５・・出入孔
２０・・フレーム
２０ａ・第１フレーム
２０ｂ・第２フレーム
２１・・第１フレームの端部
２２・・第１フレームの端部
２３・・刺し込み孔
２４・・第２フレームの端部
２５・・第２フレームの端部
２６・・突起
５０・・フレーム
５０ａ・第１フレーム
５０ｂ・第２フレーム
５１・・第１フレームの端部
５１ａ・ナット材
５１ｂ・ナット材
５２・・第１フレームの端部
５２ａ・抜き孔
５２ｂ・抜き孔
５３・・当て板
５３ａ・ボルト貫通孔
５３ｂ・ボルト貫通孔
５４ａ・ボルト
５４ｂ・ボルト
【図１】
2006136562.tif 000003
【図２】
2006136562.tif 000004
【図３】
2006136562.tif 000005
【図４】
2006136562.tif 000006
【図５】
2006136562.tif 000007
【図６】
2006136562.tif 000008
【図７】
2006136562.tif 000009
【図８】
2006136562.tif 000010